(57)【要約】  簡単な構成で操作ツマミの操作により電池カバーが２箇所でロックされ、衝撃力に強く、しかも防水性を維持可能な携帯端末装置を得る。装置本体１２に設けられ電池２０を収容する電池室２６を塞ぐ電池カバー２２と、電池カバー２２を装置本体１２にロックするロック機構６０とを有する携帯端末装置１０において、ロック機構６０は、電池カバー２２に移動可能に設けられたレバーアーム６１と、レバーアーム６１を操作する操作ツマミ２４と、装置本体１２に設けられ操作ツマミ２４の操作に伴いレバーアーム６１が移動してその両端部が係合する係合ピン３４、３５とを有し、電池カバー２２は、レバーアーム６１が係合ピン３４、３５と係合することにより係合ピン３４，３５からの反発力で装置本体１２側に押圧される。
2011135728.tif 000002
【特許請求の範囲】
【請求項１】
装置本体に設けられ電池を収容する電池室を塞ぐ電池カバーと、該電池カバーを前記装置本体にロックするロック機構とを有する携帯端末装置において、
前記ロック機構は、
前記電池カバーに移動可能に設けられたレバー部材と、該レバー部材を操作する操作手段と、前記装置本体に設けられ前記操作手段の操作に伴い前記レバー部材が移動して該レバー部材の両端部が係合する係合部材とを有し、
前記電池カバーは、前記レバー部材が前記係合部材と係合することにより該係合部材からの反発力で前記装置本体側に押圧される
ことを特徴とする携帯端末装置。
【請求項２】
前記操作手段は、前記レバー部材の長手方向の中央に設けられ、前記操作手段の操作に伴い前記レバー部材が長手方向に移動する
ことを特徴とする請求項１に記載の携帯端末装置。
【請求項３】
前記電池カバーは、前記レバー部材の長手方向の両端部の少なくとも一方が前記装置本体側に変形するのを防止する変形防止部材を有する
ことを特徴とする請求項１に記載の携帯端末装置。
【発明の詳細な説明】
【技術分野】
【０００１】
本発明は、電池を収容する電池室を塞ぐ電池カバーと該電池カバーを装置本体にロックするロック機構とを有する携帯端末装置に関する。
【背景技術】
【０００２】
近年、特に業務用に使用される携帯端末装置の場合、例えばスキャナー装置等の使用により電力の消費量が多くなっているため、定期的に充電池の交換（例えば１回／日）が必要であり、電池カバーは簡単な操作で着脱できる構造に設計されている。【０００３】
また、電池カバーは、例えば落下等による衝撃を受けても破損せず、かつ防水性能を維持できるような仕様を満足することが要望されている。
なお、携帯端末装置を含む電子機器の防水規格として、例えばＪＩＳ／ＩＥＣ（国際電気標準会議）におけるＩＰＸ７という保護等級では、温度範囲１５〜３５℃等で、装置最下端が水面から１ｍの潜水で、試験時間３０分でも浸水しない程度の防水水準が設定されている。【０００４】
このため、携帯端末装置として、装置を誤って落下等させた場合においても破損し難く、かつ防水性能が簡単に損なわれないような耐衝撃性を備え、さらに、カバー閉塞時に防水に必要なパッキン圧を得ることができることが望ましい。【０００５】
これに対し、例えば特許文献１には、電磁波シールドボックスにおいて、複数のノブを操作して各回転板を回転させることにより、夫々の係止片と突起とが係合すると、葢体がボックス本体の左右幅方向の前後の計４箇所でロックされる構成が開示されている。【０００６】
また、特許文献２には、携帯型電子機器の電池葢において、電源スイッチを３位置のスライドスイッチとし、２箇所の突起を有する操作つまみを電池葢の凹部に３位置のうち２位置で嵌合させて、この２位置で電池葢のスライドをロックする構成が開示されている。【０００７】
さらに、特許文献３には、箱形筐体において、カバーに取付けられたアームプレートを長手方向の中間のねじを中心として回転させると、両端に設けられた嵌合部が、筐体に形成された嵌合穴に夫々上下逆方向に嵌合し、カバーが２箇所で筐体にロックされる構成が開示されている。【０００８】
しかしながら、特許文献１では、ボックス本体に蝶番部で枢着されて収納部を閉塞する葢体を備えているが、ボックス本体と蓋体とを左右両側方の４箇所で係合させてロックする構成のため、複雑な機構となり部品点数も多くなる。また、誤ってボックス本体を落下させた場合には、そのときの衝撃で蝶番部が破損したり変形したりするおそれがある。また、蝶番部が破損等すると収納部の防水機能が損なわれるおそれがある。【０００９】
また、特許文献２では、操作つまみの２箇所の突起が電池葢の凹部に直接嵌合されているので、誤って携帯型電子機器を落下等させた場合には、そのときの衝撃が直接操作つまみと電池葢との嵌合部に作用し、嵌合部が破損したり離脱したりするおそれがある。この場合には、電池室の防水機能が損なわれる。【００１０】
さらに、特許文献３では、衝撃を受けた場合でもロック（嵌合）は外れ難い構造であるとしても、筐体内部の防水性については何ら考慮されていない。このため、筐体とカバーとの隙間から浸水し易い構成である。
【先行技術文献】
【特許文献】
【００１１】
【特許文献１】特開平８−３１６６７８号公報
【特許文献２】特開平９−３２６５７０号公報
【特許文献３】特開２００２−１１１２４４号公報
【発明の開示】
【００１２】
本発明は、簡単な構成で操作手段の操作により電池カバーが複数箇所でロックされ、衝撃力に強く、しかも防水性を維持可能な携帯端末装置を提供する。
本発明は、装置本体に設けられ電池を収容する電池室を塞ぐ電池カバーと、該電池カバーを前記装置本体にロックするロック機構とを有する携帯端末装置において、
前記ロック機構は、
前記電池カバーに移動可能に設けられたレバー部材と、前記レバー部材を操作する操作手段と、前記装置本体に設けられ前記操作手段の操作に伴い前記レバー部材が移動して該レバー部材の両端部が係合する係合部材とを有し、
前記電池カバーは、前記レバー部材が前記係合部材と係合することにより該係合部材からの反発力で前記装置本体側に押圧されることを特徴とする。
【００１３】
本実施の形態によれば、電池室を塞ぐ際に、電池カバーは係合部材からの反発力で装置本体側に押圧されるので、電池室は隙間なく塞がれ、防水性が維持される。
【図面の簡単な説明】
【００１４】
【図１】本発明の実施の形態の携帯端末装置を前面側から見た外観図である。
【図２】同上の背面側から見た外観図である。
【図３】電池カバーを取り外して携帯端末装置を背面側から見た外観図である。
【図４】電池カバーを内面側から見たときの外観図である。
【図５】外側カバーを内面側から見たときの外観図である。
【図６】外側カバーの内面に内側カバーを積層したときの電池カバーの分解斜視図である。
【図７】レバーアーム、操作プレート、及び操作ツマミの分解斜視図である。
【図８】同上の組立図である。
【図９】電池カバーを内面側から見たときの平面図である。
【図１０Ａ】レバーアームのロック解除状態を示す図である。
【図１０Ｂ】レバーアームのロック状態を示す図である。
【発明を実施するための形態】
【００１５】
以下、図面に基づき本発明の実施の形態を説明する。
図１は、本発明の実施の形態の携帯端末装置を前面側から見た外観図であり、図２は、その背面側から見た外観図である。
【００１６】
携帯端末装置は、ＨＨＴ（Ｈａｎｄ  Ｈｅｌｄ  Ｔｅｒｍｉｎａｌ）として知られ、携帯が可能で、販売管理、在庫管理、或いは仕入れ管理、その他、無線通信等を行うことのできる小型モバイル機器である。
【００１７】
図１において、この携帯端末装置１０は、平面視細長矩形状の装置本体１２の前面に、メニュー画面や記憶されたデータを出力する液晶ディスプレイ（ＬＣＤ）等の表示部１４、データを操作入力するデータ入力部としての入力キー１６、及び選択ボタン１８等を備え、装置本体１２の内部には、入力キー１６から入力されたデータ等を処理する図示しないデータ処理部（演算部）等を有している。
【００１８】
なお、本実施の形態の携帯端末装置１０には装備していないが、印刷機能としてのプリンタを搭載した仕様のものもある。
図２において、携帯端末装置１０の背面側には、電池２０を収容する電池室２６の開口部２６ａ（図３参照）を塞ぐ電池カバー２２を有している。
【００１９】
この電池カバー２２は、詳しくは後述するが、操作ツマミ６２を回動操作することにより、ロック（施錠）又はロック解除して開口部２６ａに対し着脱することができる。
この携帯端末装置１０には、物品（商品）に付されたコード情報を読み取る不図示のスキャナユニット（マーク読取ユニット）が搭載されている。
【００２０】
なお、この携帯端末装置１０を使って電子メールなどを送信する際には、ユーザが入力キー１６を使って電話番号や電子メールアドレス等を入力すると、遠距離用の無線通信によってデータが指定された通信相手先に向けて発信される。発信されたデータは、基地局から電話回線、ＬＡＮ回線等を介して通信相手先に伝えられる。
【００２１】
図３は、電池カバー２２を取り外して携帯端末装置１０を背面側から見たときの外観図である。
本実施の形態では、電池２０は充電池であり、装置本体１２の背面側に形成された電池室２６に着脱可能に収容されている。この電池室２６は、開口部２６ａを電池カバー２２で覆うことによって防水性能が維持されるようになっている。
【００２２】
開口部２６ａは、装置本体１２の長手方向（図３のＹ方向）の下方側の略半分が開口している。また、装置本体１２の長手方向の略中央で、開口部２６ａの上方側には、ロック機構収容部２８が形成されている。
【００２３】
このロック機構収容部２８は、装置本体１２の背面との境目に段差が形成されている。この段差は、ロック機構収容部２８を覆う電池カバー２２の厚み部分に相当する。こうして、電池室２６の開口部２６ａに電池カバー２２が装着されると、装置本体１２の背面は平滑な面となる（図２参照）。
【００２４】
また、ロック機構収容部２８は、装置本体１２の幅方向（図３のＸ方向）の略中央に、操作ツマミ収容部３２を有している。さらに、このロック機構収容部２８の幅方向の左右端側には、装置本体１２の長手方向（図３のＹ方向）の下方に向け係合部材としての係合ピン３４、３５が設けられている。この係合ピン３４、３５に、後述するロック機構６０のレバーアーム６１が係合される。
【００２５】
また、電池室２６の開口部２６ａの下方（図３のＹ方向の下方）の左右端部には、爪取付部３６、３７が切り欠かれている。この爪取付部３６、３７に、電池カバー２２の爪４０，４１（図４等参照）が引っ掛けられて固定される。
【００２６】
また、電池室２６の開口部２６ａの周囲には、薄肉の壁面３０が形成されている。この壁面３０に、後述するパッキン４８（図４等参照）が当接されて電池室２６の防水機能が維持される。
【００２７】
図４は、電池カバー２２を内面側から見たときの外観図である。
この電池カバー２２は、外側カバー２２Ａと内側カバー２２Ｂとを積層した一体構造を有している。
【００２８】
この電池カバー２２は、電池室２６の開口部２６ａを閉塞して衝撃力等に対しても所定の強度を有するとともに、優れた防水規格水準をクリアする防水機能（例えばＩＳ／ＩＥＣにおけるＩＰＸ７等級）を有している。
【００２９】
図５は、外側カバー２２Ａを内面側から見たときの外観図である。
図５に示すように、外側カバー２２Ａは、合成樹脂等（例えばポリカーボネート）の弾性材料からなり、中央にカバー本体２３を有している。この外側カバー２２Ａは、長手方向（図５のＹ方向）の上方側に形成されたアームガイド３８とロック機構６０とを有している。
【００３０】
このアームガイド３８は、厚み方向（図５のＺ方向）に立設されている。このアームガイド３８は、レバー部材としてのレバーアーム６１が幅方向（図５のＸ方向）に移動するのを案内する。このレバーアーム６１は、操作ツマミ６２の操作によって幅方向に移動される。
【００３１】
また、カバー本体２３の長手方向（図５のＹ方向）の下方側の左右端部には、爪４０、４１が形成されている。この爪４０、４１は、前述した装置本体１２の爪取付部３６，３７に取付けられる。そして、この爪４０，４１が爪取付部３６，３７に嵌め込まれ、かつロック機構６０がロックされることによって、外側カバー２２Ａ（電池カバー２２）が装置本体１２に装着される。
【００３２】
また、カバー本体２３の幅方向（図５のＸ方向）の左右端部には、厚み方向（図５のＺ方向）の内面側に立設された側面リブ４２、４３が長手方向に連続して形成されている。この側面リブ４２、４３は、電池室２６の開口部２６ａの側方の壁面３０に沿うように形成されている。
【００３３】
図６は、外側カバー２２Ａに内側カバー２２Ｂを積層したときの電池カバー２２の分解斜視図である。
本実施の形態では、内側カバー２２Ｂは、外側カバー２２Ａとは異なる材料からなる補強部材としての補強プレート４６と、該補強プレート４６の外側カバー２２Ａ側面に設けられる接着材としての粘着テープ４４と、補強プレート４６の粘着テープ４４側と反対側に設けられるシール部材としてのパッキン４８とを有している。こうして、内側カバー２２Ｂは、粘着テープ４４により外側カバー２２Ａに貼り付けて積層される。
【００３４】
粘着テープ４４としては、例えば両面テープのような矩形枠状の弾性材料が用いられている。この粘着テープ４４は、外側カバー２２Ａと補強プレート４６とを接着する役目と緩衝する役目を有する。このため、粘着テープ４４には、接着性と耐衝撃性が要求されている。また、この粘着テープ４４は、防水のために非浸水性を有している。
【００３５】
補強プレート４６は、外側カバー２２Ａの機械的強度を補強するもので、耐摩耗性かつ耐衝撃性を有する金属板（例えばステンレス鋼）からなっている。
この補強プレート４６は、中央に開口５０ａを有するプレート本体５０と、このプレート本体５０の長手方向（図６のＹ方向）の上方側に形成されたカバー部５１と、長手方向の下方側に突出する左右一対の突起５６，５７と、プレート本体５０の幅方向（図６のＸ方向）の左右端部に形成された左・右リブ部５３、５４と、を有している。
【００３６】
こうして、補強プレート４６のプレート本体５０は、外側カバー２２Ａのカバー本体２３を補強し、また、補強プレート４６の左・右リブ部５３，５４は、外側カバー２２Ａの側面リブ４２，４３を補強している。さらに、補強プレート４６の突起５６，５７は、外側カバー２２Ａの爪４０，４１を補強している。なお、補強プレート４６のカバー部５１は、ロック機構６０を保護している。
【００３７】
この補強プレート４６は、耐摩耗性を有するので、合成樹脂製の外側カバー２２Ａの枠部分が他の物体と接触して摩耗したとしても、補強プレート４６よりも内部まで摩耗することはない。このため、電池カバー２２によって覆われる電池室２６（図３参照）が露出することはなく、電池室２６の内部の防水性が維持される。
【００３８】
また、この補強プレート４６は、耐衝撃性を有するので、合成樹脂製の外側カバー２２Ａが落下等により破損したとしても、補強プレート４６を含む内側カバー２２Ｂが破損することはない。このため、電池室２６が露出することはなく、電池室２６の内部の防水性が維持される。
【００３９】
また、補強プレート４６の右リブ部５４の長手方向の上方端には、略Ｌ字状で厚み方向（図６のＺ方向）の内面側に突出する変形防止部材としての変形防止金具５８が設けられている。
【００４０】
ロック機構６０のレバーアーム６１は、補強プレート４６のカバー部５１によって保護されているが、レバーアーム６１が長手方向に移動したとき、その端部はカバー部５１からはみ出る。そこで、この変形防止金具５８は、レバーアーム６１の長手方向の一端側（図６のＸ方向の右端側）が、厚み方向（図６のＺ方向）の内面側に変形するのを防止する役目を有している。
【００４１】
パッキン４８は、非浸水性を有するゴム又は合成樹脂からなっている。このパッキン４８は、中央に矩形状の開口４８ａを有する矩形枠状をなしている。なお、開口４８ａの大きさは、補強プレート４６の開口５０ａと同等又はこれよりも大きく形成されている。
【００４２】
このパッキン４８は、図示しない粘着テープ又は接着剤を介して補強プレート４６の一面（粘着テープ４４と反対側の面）に貼り付けられている。こうして、外側カバー２２Ａは、補強プレート４６及びパッキン４８に一体的に積層される。
【００４３】
なお、パッキン４８は、電池室２６の開口部２６ａの周囲の壁面３０に所定圧で押圧されることにより、その反発力により電池室２６の防水機能が維持される。
また、前述したように、電池カバー２２には、外側カバー２２Ａの爪４０、４１よりも幅方向の内側に、内側カバー２２Ｂの補強プレート４６の突起５６，５７が突出されている。このため、この突起５６，５７が電池室２６の開口部２６ａの下端側に掛止されて掛止部が補強されることになる。
【００４４】
次に、本実施の形態のロック機構６０について説明する。
ロック機構６０は、電池カバー２２で電池室２６の開口部２６ａを覆うときに、該電池カバー２２を装置本体１２側に押し付けてロックする機構である。このロックにより、電池カバー２２は装置本体１２側に押し付けられて、電池室２６の内部の防水性が維持される。
【００４５】
このロック機構６０は、電池カバー２２に移動可能に設けられたレバー部材としてのレバーアーム６１と、このレバーアーム６１を操作する操作手段としての操作ツマミ６２と、装置本体１２に設けられ操作ツマミ６２の操作に伴いレバーアーム６１が移動してその両端部（６５ａ，６７）が係合する係合ピン３４，３５（図３参照）とを有している。
操作ツマミ６２は、レバーアーム６１の長手方向の中央に設けられている。そして、操作ツマミ６２の操作に伴いレバーアーム６１は長手方向に移動する。
【００４６】
図７は、レバーアーム６１、操作プレート６３、及び操作ツマミ６２の分解斜視図であり、図８は、その組立図である。
図７及び図８において、レバーアーム６１は、第１端部６５ａを有する矩形枠状の枠体部６５と、この枠体部６５に対し図７の下方（Ｚ方向）に段部を有して水平に延在する平板部６６と、この平板部６６から図の上方（Ｚ方向）にわずかな段部を有して水平に延在する第２端部６７とを有している。
【００４７】
こうして、電池カバー２２を電池室２６に閉塞する時に、レバーアーム６１は図７の右方向（Ｘ方向）に移動して、第１端部６５ａが装置本体１２の係合ピン３５に係合し、同時に、第２端部６７が係合ピン３４に係合する。
【００４８】
なお、レバーアーム６１の平板部６６には、操作ピン６８が立設されている。一方、操作プレート６３には、貫通孔６９が形成されている。操作プレート６３は、この貫通孔６９を介してレバーアーム６１の操作ピン６８に取付けられる。
【００４９】
この貫通孔６９は、操作プレート６３の中心に対して偏芯して形成されている。このため、この貫通孔６９に嵌挿される操作ピン６８も、操作プレート６３の中心に対して偏芯して取付けられる。これにより、操作ツマミ６２を回転させるとレバーアーム６１は長手方向に移動する。
【００５０】
なお、操作プレート６３には、貫通孔６９の他にも複数（図では４個）の貫通孔７０が形成されている。操作プレート６３は、この貫通孔７０を用いて操作ツマミ６２と結合され、回転しないように取付けられる。
【００５１】
レバーアーム６１は、電池カバー２２に対し幅方向（図５及び図６のＸ方向）に移動可能に保持されている。ただし、レバーアーム６１は電池カバー２２に対し厚み方向（図５のＺ方向）には移動しない。こうして、操作ツマミ６２を回動させると、レバーアーム６１は長手方向に移動して係合ピン３４、３５に係合する。
【００５２】
また、図８に示される変形防止金具５８は、レバーアーム６１の第２端部６７がへたり等により変形するのを防止する金具である。長期間の使用により、レバーアーム６１の第２端部６７に外力が作用して変形するのを防止するためである。
【００５３】
なお、本実施の形態では、変形防止金具５８によりレバーアーム６１の一端側（第２端部６７）を覆う場合について説明したが、これに限らない。例えば、レバーアーム６１の両端側（第１端部６５ａ及び第２端部６７）を同様の金具で覆うようにしてもよい。
これにより、レバーアーム６１の第１端部６５ａ及び第２端部６７に夫々外力が作用して、レバーアーム６１の各端部が変形するのを防止することができる。
【００５４】
図９は、電池カバー２２を内面側から見たときの平面図である。
図９において、操作ツマミ６２を矢印Ｂ方向に回動操作すると、レバーアーム６１は矢印Ｃ方向に移動する。これにより、レバーアーム６１の第１端部６５ａ及び第２端部６７が、係合ピン３４，３５（図３参照）に係合して電池カバー２２がロックされる。
また、操作ツマミ６２を反対方向に回動操作すると、レバーアーム６１は矢印Ｃと反対方向に移動して、電池カバー２２のロックが解除される。
【００５５】
図１０Ａ及び図１０Ｂは、レバーアーム６１の動作状態を示す図である。
図１０Ａは、係合ピン３４，３５（図３参照）に対するレバーアーム６１のロック解除状態を示し、図１０Ｂは、係合ピン３４，３５に対するレバーアーム６１のロック状態を示す。
【００５６】
図１０Ａに示すように、レバーアーム６１のロック解除状態では、レバーアーム６１と係合ピン３４，３５とは係合していない。
すなわち、この状態では、レバーアーム６１の第１端部６５ａ及び第２端部６７は、係合ピン３４，３５に対し、長手方向（Ｘ方向）に離れたところに位置している。これは、電池カバー２２が単に電池室２６の開口部２６ａを覆っている状態であり、ロックはされていない。
【００５７】
次に、図１０Ｂに示すように、操作ツマミ６２を回動させると、操作プレート６３及び操作ピン６８を介してレバーアーム６１は長手方向（矢印Ｃ方向）に移動する。
なお、この操作ツマミ６２の回動は、実際には、電池カバー２２で電池室２６の開口部２６ａを覆い、その状態で操作ツマミ６２を回動させる。
【００５８】
こうして、レバーアーム６１が長手方向（Ｘ方向）に移動して、その第１端部６５ａ及び第２端部６７の上面（図１０ＡのＡ面、Ａ’面）が係合ピン３４，３５の下側（Ｚ方向）に入り込んで係合する。これにより、レバーアーム６１と係合ピン３４，３５はロック状態となる。
【００５９】
この係合により、図４に示した電池カバー２２は、電池室２６の開口部２６ａに閉塞される。なお、第１端部６５ａ及び第２端部６７の先端は、係合ピン３４，３５に係合しやすいようにテーパ面に形成しておくとよい。
【００６０】
また、本実施の形態において、レバーアーム６１の第１端部６５ａ及び第２端部６７の上面（図１０ＡのＡ面、Ａ’面）は、係合ピン３４，３５の最下面よりも若干上方（図１０ＡのＺ方向）に位置している。
【００６１】
これにより、第１端部６５ａ及び第２端部６７が係合ピン３４，３５に係合した状態では、レバーアーム６１（及び電池カバー２２）は係合ピン３４，３５の反発力で若干下方（矢印Ｄ方向）に移動する。
【００６２】
このレバーアーム６１の下方（矢印Ｄ方向）への移動により、該レバーアーム６１を保持している電池カバー２２が装置本体１２側に押し付けられる。これにより、電池室２６の周囲の壁面３０にパッキン４８が押し付けられて防水性能が維持される。この場合、パッキン４８が弾性を有していれば、より一層防水性能が向上する。
【００６３】
なお、本実施の形態では、係合ピン３４，３５として断面円形の金属棒を用いたが、これに限らず、例えば断面多角形や楕円形や半円形他としてもよい。これにより、レバーアーム６１が係合ピン３４，３５に係合したときに、レバーアーム６１は係合ピン３４，３５の角部に当接して下方（矢印Ｄ方向）に移動し易くなる。
【００６４】
このように、本実施の形態では、電池カバー２２の中央の操作ツマミ６２を回すことにより、レバーアーム６１を長手方向に移動させて、このレバーアーム６１を装置本体１２の幅方向の左右端の２本の係合ピン３４，３５に係合させることができる。
【００６５】
なお、本実施の形態では、レバーアーム６１は装置本体１２や電池カバー２２に固定されておらず移動可能となっている。このため、誤って装置本体１２を落下等させたとしても、レバーアーム６１に直接衝撃が伝わりにくい。このため、レバーアーム６１は変形することなく電池カバー２２のロック状態が保持される。こうして、電池カバー２２が離脱することはないため、電池室２６の防水機能はそのまま維持される。
【００６６】
また、操作ツマミ６２を操作してレバーアーム６１が移動し、装置本体１２の２本の係合ピン３４，３５に係合した状態では、レバーアーム６１の端部（例えば第２端部６７）は、補強プレート４６に形成された変形防止金具５８に覆われて保護される。これにより、長期にわたる使用によっても、レバーアーム６１の第２端部６７が変形（例えば装置本体１２側への曲がり）するのを防止することができる。
【００６７】
また、電池カバー２２を装置本体１２に装着するには、電池カバー２２を電池室２６の開口部２６ａにあてがい、該電池カバー２２を長手方向（図３のＹ方向）の下方にスライドさせる。こうして、電池カバー２２の爪４０，４１を爪取付部３６，３７に嵌め込んでから、操作ツマミ６２を操作する。これにより、電池カバー２２は電池室２６の開口部２６ａを閉塞し、さらに２箇所の係合ピン３４，３５に係合してロックされる。
【００６８】
なお、このとき、補強プレート４６の突起５６，５７も開口部２６ａの壁面３０に嵌め込まれるため、電池カバー２２の装着強度が増強されることになる。
本実施の形態によれば、ロック機構６０は、レバーアーム６１と、操作ツマミ６２、及び装置本体１２に設けられた係合ピン３４，３５を有し、レバーアーム６１が係合ピン３４，３５に係合すると、電池カバー２２は係合ピン３４，３５からの反発力で装置本体１２側に押圧されるので、電池室２６の防水性を確保することができる。
【００６９】
また、本実施の形態によれば、装置本体１２は合成樹脂等の弾性材料で構成されており、電池室２６の周囲の壁面３０に電池カバー２２のパッキン４８が当接して押圧されるため、電池カバー２２により電池室２６の開口部２６ａは隙間なく塞がれる。よって、パッキン圧が確保され電池室２６の防水性が維持される。
【００７０】
また、本実施の形態によれば、レバーアーム６１は装置本体１２や電池カバー２２に固定されていないので、装置を誤って落下等させてもレバーアーム６１自身は直接衝撃を受けにくい。このため、レバーアーム６１と係合ピン３４，３５との係合は外れにくく、電池室２６は露出することなく保護される。
【図１】
2011135728.tif 000003
【図２】
2011135728.tif 000004
【図３】
2011135728.tif 000005
【図４】
2011135728.tif 000006
【図５】
2011135728.tif 000007
【図６】
2011135728.tif 000008
【図７】
2011135728.tif 000009
【図８】
2011135728.tif 000010
【図９】
2011135728.tif 000011
【図１０Ａ】
2011135728.tif 000012
【図１０Ｂ】
2011135728.tif 000013
【国際調査報告】
2011135728.tif 000014
2011135728.tif 000015
2011135728.tif 000016
2011135728.tif 000017